(57)【要約】　　　（修正有）【課題】のぼり旗が風に吹かれた際、その下端が捲れ上がって通行人にその宣伝内容が読み取れないことがないようにするための防止具であって、のぼり旗の最下位を抑え、のぼり旗の下端が捲れ上がるのを防ぐ。【解決手段】からまり防止具１の構造を、旗竿の上下方向に移動可能に、しかも旗ポールを回動出来るように円筒形状となし、その円筒の外周にフックを形成したもので、この防止具のフック３に、のぼり旗の複数の止め輪のうちの最下位の止め輪５ａを差し込むことで、のぼり旗が風の強弱で、またその風の方向に合わせて、旗竿にそって上下動し、また風の方向に合わせて回動可能としたもので、これによりのぼり旗のからまり防止を実現したものである。【選択図】図２
0003099355.tif 000002
【実用新案登録請求の範囲】
【請求項１】
旗竿を構成する立ポールの外形寸法より僅かに大きな内径を有する筒状の本体と、
その外周面に下端を折り曲げた下向きのフックを一体形成した構成としたことを特徴とするのぼり旗のからまり防止具。
【請求項２】
旗竿を構成する立ポールの外形より僅かに大きな内径を有する筒状の弾性材より成る本体と、
その外周面に下端を折り曲げ、その端部が外周面に接触する下向きのフックを一体形成したことを特徴とするのぼり旗のからまり防止具。
【請求項３】
弾性力を有する材料を用い、外側に向かって広く曲線を持った開放端を有するスリットを形成し、差し込むボールとの間で上下動、および回動自在となるように、旗竿を構成する立ポールの外形より僅かにおおきな内径を有する本体と、
その外周面に下向きのフックを一体形成した構成としたことを特徴とするのぼり旗のからまり防止具。
【請求項４】
フックとして、本体外周面に下端を折り曲げた下向き、あるいは本体外周面に下端を折り曲げ、その端部が外周面に接触する下向きとしたことを特徴とする請求項３記載ののぼり旗のからまり防止具。
【考案の詳細な説明】
【０００１】
【産業上の利用分野】
この考案は、広告や、宣伝に用いられるのぼり旗のからまりを防止するのぼり旗のからまり防止具に関するものである。
特にこの考案は、取扱いが容易であって、のぼり旗のからまりを効果的に押え込むことを実現したからまり防止具に関わるものである。
【０００２】
【従来の技術】
これまでののぼり旗にあっては、宣伝、広告を効果的に行なうために、その阻害要因となる風に吹かれてのぼり旗下端が上下したり、下端の捲れ上がりを防止するための種々の工夫が提案されている。
一例として、特開２００３−００５６８１号公報に開示されているものがある。
【０００３】
ここでのストッパは、一体形成された下端が開放された止め輪係止手段を一対必要とする構成、あるいは別体の環状部を成形するとしている。
【０００４】
【考案が解決しようとする課題】
しかしながら、上述の如きストッパーでは、その構造が留め輪係止手段を一対必要とし、しかも、そののぼり旗の止め輪は、下端が開放した引掛部と筒体とで形成される空間部に単に滑り込ませる構成であることから、強風に吹かれた場合には、止め輪が引掛部の下端開放個所より外れ、その目的を達成出来ない等、ストッパーとしての特性の安定性に欠ける恐れがあった。
更に、その構造上、扱い易いストッパーを実現することが求められていた。
【０００５】
本考案は上記課題を解消するためになされたものであって、ポールの外形より僅かに大きな内径とする筒状の本体と、その外周面に下端を折り曲げた下向きのフックを形成することで、のぼり旗の止め輪が外れ難い構造を実現し、併せて、本来の目的であるのぼり旗の絡まりを防止し、のぼり旗が何時も正常の状態を保つことが出来るからまり防止具を提供しようとするものである。
【０００６】
【課題を解決するための手段】
上記目的を達成するために、本考案ではのぼり旗のからまり防止具を実現するにあたり、ポールの外形より僅かに大きな内径とする筒状の本体と、その外周面に下端を折り曲げたフック、および、折り曲げたその端部が外周面に接触する下向きのフックを一体形成した構成としたものである。
【０００７】
さらには、からまり防止具を、弾性力を有する材料にて形成し、その形状を一端にスリットを形成しつつ外側に向かって広く曲線を与えた開放端を形成しつつ、差し込むポールとの間で上下動、および回動自在となるようように、ポールの外形より僅かにおおきな内径を有し、加えて、その外周面に第１あるいは第２の実施形態と同様なフックを一体形成した構成としたものである。
このような構成としたことにより、のぼり旗の止め輪が外れ難い構造を実現したものである。
【０００８】
【考案の実施の形態】
以下、本考案によるのぼり旗のからまり防止具について、その実施形態を図面を参照しながら説明する。
図１は、本考案に関わるのぼり旗のからまり防止具を使用したのぼり旗の状態を説明する図であり、図２は図１に示したのぼり旗に適用した本考案に関わるのぼり旗のからまり防止具の一実施携帯を示す図で、主要個所を拡大した図である。
【０００９】
図１、図２において、１ａはからまり防止具１の本体であって、筒状を成し、その内径は円筒状の旗竿２の直径と較べ僅かに大きなものとなっており、旗竿２を構成する立ポールに嵌め込まれた際には、立ポールにそって自由に上下動し、かつ回動出来る状態、換言すると遊嵌状態に形成された本体１ａと、後述するフック３を一体形成して構成されている。
【００１０】
この時のからまり防止具１の重さは、旗を自重にて引き下げることが出来る程度でよく、風雨に対する耐性とともに強度が優れたプラスチック材や、金属材等を本体１ａの厚みを考慮しつつ適宜選択して用いることで充分である。
２は旗竿３で、立ポール２ａと横ポール２ｂから構成されている。
【００１１】
３は、前記本体１の外周に形成されたフックであって、その下端部は溝３ａを形成するように内側に折り曲げられている。
この時に形成する溝３ａの深さは、その深さが深いほど充分なのぼり旗の止め輪外れ防止効果が期待出来るものであるが、必要以上に深くなるように形成する必要はなく、フック３の高さＨを考慮して決めることでよい。
【００１２】
４は、宣伝文や、絵、写真等が表示された旗であり、５は、旗４の長辺と短辺の両端部に一定の間隔で取付けられた複数の止め輪で、旗竿２の立ポール２ａと横ポール２ｂに挿入出来るような輪を形成したものである。
【００１３】
以上の構成で、先ず、旗竿２の立ポール２ａに本考案に関わるからまり防止具１を、その溝２ａが下方となるように差込む。次いで、旗４に取付けられる複数の止め輪５を、順次、旗竿２の立ポール２ａと横ポール２ｂに差込み、のぼり旗を組み立てる。
【０００１４】
この状態で、旗４の最下端に取付けられた止め輪５ａを、既に立ポール２ａに遊嵌状態で差込まれているからまり防止具１のフック３に差込む。この止め輪５ａをフック３に差込む際、止め輪５ａの下端はフック３に単に滑り込ませて差込むだけでなく、その後、フック３の溝３ａに納まるように差込むことになる。
止め輪５ａは溝３ａに差込まれた後は、本体１ａとフック３の内壁上部と溝３ａで形成された空間に閉じ込められた状態となる。
【００１５】
この状態で、のぼり旗として街頭等に設置されるが、その際、旗４が風圧等の外力で上下動や回動状態に遭うことになるが、上記の通り旗４の最下端の止め輪５ａがからまり防止具１の作用により閉じ込められた状態にあることから、容易に外れることはなくなる。また、風等が止むことで、からまり防止具１の自重にて旗４全体を下方に引き下げることになり、通行人等に対して、表示する宣伝文、広告文や、絵、写真等を明瞭に視認させることが出来る。
【００１６】
この後、旗４自体を旗竿２から外すには、先ず、からまり防止具１のフック３の溝３ａに納まっている止め輪５ａを上方に持上げて溝３ａより取り出すことでフック３より外し、引続いて、その他の複数の止め輪５を立ポール２ａ、横ポール２ｂより順次引き抜くことで、旗４全体を旗竿２より外すことが出来る。
【００１７】
以上により、のぼり旗のからまりを効果的に防止出来るからまり防止具を実現出来た。
【００１８】
次に、本考案に関わるのぼり旗のからまり防止具の他の実施形態について説明する。
図３は、本考案に関わるからまり防止具の他の実施形態を示す図で、同図（ａ）はその側面図、同図（ｂ）は正面図である。
【００１９】
図３において、３１は先に説明の実施形態と同様、旗竿２の立ポール２に対して遊嵌状態となるように形成されたからまり防止具であって、弾性材を用いて本体３１ａとフック３２より形成されている。
３２は、前記本体３１ａの外周に形成されたフックであって、その下端部は内側に折り曲げられ、常態にある時は自身の弾性力にて本体３１ａの外周面に接触するように形成されている。
【００２０】
以上の構成で、図１を併用して説明すると、先ず、旗竿２の立ポール２ａに本考案に関わる図３に示すからまり防止具３１を差込む。次いで、旗４に取付けられる複数の止め輪５を、順次、旗竿２の立ポール２ａと横ポール２ｂに差込み、のぼり旗を組み立てる。
【００２１】
この状態で、旗４の最下端に取付けられた止め輪５ａを、既に立ポール２ａに差込まれているからまり防止具３１のフック３２に差込む。このフック３２に差込む際、フック３２の下端部は自身の弾性力にて本体３１ａの外周面に接触しているので、止め輪５ａはその弾性力に抗して押し広げつつ差込むことになる。
差込まれた後は、止め輪５ａは本体３１ａとフック３２で形成された閉じられた空間に閉じ込められた状態となり、風圧等の外力では容易に外れることはなくなる。
【００２２】
使用後等において、格納するために旗４を旗竿２から外すには、先ず、からまり防止具３１のフック３２の下端部を摘む等、外向きの力を加えて持ち上げることで止め輪５ａをフック３２より外し、引続いて、その他の複数の止め輪５を立ポール２ａ、横ポール２ｂより順次引き抜くことで、旗４全体を旗竿２より外すことが出来る。
【００２３】
以上のように、この図３に示すからまり防止具の構成では、図２で示した実施形態と較べてフックの弾性力を有効利用することで、旗の止め輪は、フックに単に差込むだけで充分となり、その扱いを容易にすることが出来る。
【００２４】
図４は、本考案に関わるのぼり旗のからまり防止具の、他の実施形態を示す外観図である。
【００２５】
図４において、４１は先に説明の幾つかの実施形態と同様、旗竿の立ポールに対して遊嵌状態となるように形成されからまり防止具であって、弾性体を用いた本体４１ａとフック４２より形成されている。
本体４１ａには、スリット４１ｂが形成されるとともに、旗竿の立ポール２ａの外周を自由に上下動し、回動出来る形状、換言すると遊嵌状態となるように形成されている。この時のスリット４１ｂは、その両端部が外側に向かって広がる曲線を持った開放面となって形成されている。
【００２６】
また、本体４１ａの外周面には、上記スリットと対面する位置よりずれた位置にフック４２を形成しているが、この時のフックの形状は、図２で示した下端部を単に折り曲げ、外周面に接触しないフック３、あるいは図３で示した折り曲げ先端が外周面に常態で接触するフック３２のどちらの形状であってもよい。
【００２７】
以上の構成で、図１を併用して説明すると、この場合、先ず、旗４に取付けられる複数の止め輪５を、順次、旗竿２の立ポール２ａと横ポール２ｂに差込み、のぼり旗を組み立てる。
【００２８】
この後、からまり防止具４１をたてた状態で、そのスリット４１ｂの開放面を立ポール２ａの旗４の最下端位置より下の個所に押し付ける。この押し付けによって、スリット４１ｂの外側に向かって広がった開放した両端部が弾性力に抗して立ポール２ａの外周に沿って押し広げられ、からまり防止具４１は立ポール２ａに遊嵌状態で嵌め込まれる。
この状態で、旗４の止め輪５ａを、からまり防止具４１のフック４２に差込むことで、これまで説明の実施形態と同様に、止め輪５ａは容易に外れることはなくなる。
【００２９】
旗４を旗竿２から外すには、一例としてからまり防止具４１のフック４２の下端部に外向きの力を加えて持ち上げ、止め輪５ａをフック４２より外し、引続いて、その他の複数の止め輪５を立ポール２ａ、横ポール２ｂより順次引き抜くことで、旗４全体を旗竿２より外すことが出来る。
【００３０】
また、からまり防止具４１を立ポール２ａから取り外す際には、スリット４１ｂの両端部を外方向に多少広げたり、スリット４１ｂと対面する位置に例えば取手（図示せず）を形成しておけば、その取手を掴みつつ矢印Ａ方向に引くことで、より容易に取り外すことが出来る。
さらに、風がない時には、からまり防止具４１を、矢印Ａの方向に引くことで、立ポール２ａから容易に取り外すことができ、いたずらされて、持ち去られることを防ぐことが出来る。
【００３１】
また、フック４２をスリット４１ｂの対面位置ではなく、外れた位置に形成することで、止め輪５ａが外れる可能性をより抑え込むことが出来る。
フック４２をスリット４１ｂの対面位置付近に形成した場合、使用状態にあって旗４に強風や強い引っ張り外力が加わると、フック４２が引っ張られ、その力はからまり防止具４１のスリット４１ｂにも伝わり、弾性力に抗して立ポール２ａから外れてしまう可能性があり、対面位置より外して形成することで、その可能性を抑え込むことが出来るのである。
勿論、対面位置付近に形成してもよいが、この場合にはその可撓性がより強いものが望ましく、その場合には、からまり防止具の嵌め込みにも強い人力が必要になる。
【００３２】
以上の構成により、第１および第２の実施形態との比較では、旗を旗竿に組込んだ後においても、からまり防止具を簡単に旗竿に嵌め込み、また適宜取り外すことが出来るので、その扱いは第１および第２のからまり防止具のそれと較べ、より容易なものとなる。
【００３３】
【考案の効果】
以上詳述したように、本考案によれば、旗のからまりを防止出来、しかも、その扱いを容易とするのぼり旗からまり防止具を提供することが出来るものである。
【図面の簡単な説明】
【図１】本考案を適用するのぼり旗の状態を説明する図である
【図２】本考案に関わるのぼり旗のからまり防止具の一実施形態を示す図である
【図３】本考案に関わる他ののぼり旗のからまり防止具の実施形態を示す図である
【図４】本考案に関わる他ののぼり旗のからまり防止具の実施形態を示す外観図である
【符号の説明】
１，３１，４１・・・からまり防止具
１ａ・・・本体
２・・・旗竿
２ａ・・・立ポール
２ｂ・・・横ポール
３，３２，４２・・・フック
３ａ・・・溝
３１ａ，４１ａ・・・本体
４１ｂ・・・スリット
４・・・旗
５，５ａ・・・止め輪
【図１】
0003099355.tif 000003
【図２】
0003099355.tif 000004
【図３】
0003099355.tif 000005
【図４】
0003099355.tif 000006